(57)【特許請求の範囲】
【請求項１】
液体を吸引する吸引部と、試料を測定する測定機構部と、吸引する液体の種類の情報を読み取る液体情報読取部と、液体情報読取部で読み取った液体の種類の情報が試料の場合、試料を測定するよう測定機構部を動作させ、液体の種類が洗浄液の場合、洗浄液を用いてシャットダウン動作を行うように測定機構部を動作させる制御部とを備える試料分析装置。
【請求項２】
シャットダウン動作は、洗浄液を測定機構部に所定時間滞留させる動作を含む請求項１記載の試料分析装置。
【請求項３】
シャットダウン動作は、洗浄液を測定機構部の検出器に流入させる動作を含む請求項１記載の試料分析装置。
【請求項４】
制御部は、測定機構部がシャットダウン動作を実行したのちに試料分析装置の電源をオフにする請求項１乃至請求項３記載の試料分析装置。
【請求項５】
制御部は、測定機構部がシャットダウン動作を実行したのちに試料分析装置を液体吸引待受状態にする請求項１乃至請求項３記載の試料分析装置。
【請求項６】
シャットダウン動作の実行後に試料分析装置の電源をオフにするかシャットダウン動作の実行後に試料分析装置を液体吸引待受状態にするかを選択するための選択部を備え、制御部は選択された情報に従って試料分析装置の動作を制御する請求項１乃至請求項５記載の試料分析装置。
【請求項７】
液体情報読取部は、バーコードリーダである請求項１乃至請求項６記載の試料分析装置。
【請求項８】
請求項１乃至請求項７記載の試料分析装置が複数接続された試料分析システム。
【請求項９】
請求項１乃至請求項７記載の試料分析装置に吸引される液体を収容した容器であって、液体が洗浄液であることを示す情報が付加されている容器。
【請求項１０】
請求項１乃至請求項７記載の試料分析装置に吸引される液体を収容した容器を搭載するためのラックであって、液体が洗浄液であることを示す情報が付加されているラック。
【発明の詳細な説明】
【０００１】
【発明の属する技術分野】
本発明は血液分析装置、尿分析装置などの試料分析装置に関し、特に、シャットダウン処理のための操作の簡略化を図った試料分析装置に関する。
【０００２】
【従来の技術】
近年、試料分析装置は高機能化が進み、検体の処理能力が向上してきている。例えば、血液分析装置では、１時間に１５０検体の測定が可能な装置（例えば、ＸＥ−２１００（シスメックス株式会社製））が実現されている。
【０００３】
上述の血液分析装置は、装置内部に血液を吸引してフローサイトメータなどの検出器を用いて血球数などの血球情報を測定するものである。測定の際には、検出器や流路に汚れ（例えば以前に測定した血液の成分）が残っていてはならない。例えば、検出器に残留した汚れによって検出感度が変動したり、検出器がつまったりすることにより、測定結果に悪影響を及ぼすからである。その反面、装置が処理する検体数の増加によって、汚れの残留の可能性は高まってきている。
【０００４】
そこで、上述の血液分析装置では、１検体測定ごとに希釈液で検出器や流路を洗い流すとともに、所定期間ごと（例えば、１日に１回）に、いわゆるシャットダウン動作をさせることで汚れの残留を防いでいる。
シャットダウン動作では、洗浄液（例えば、次亜塩素酸ナトリウム溶液）を検出器や流路に流したり、検出器や各チャンバにその洗浄液を所定時間滞留させたりして汚れを落とす。
【０００５】
【発明が解決しようとする課題】
上述のシャットダウン動作は、試料分析装置の使用者（以下、単にオペレータという）が、試料分析装置に備えられているパネルキーボードなどの入出力部から、「シャットダウン動作」を選択し、試料分析装置の吸引部から洗浄液を吸引させることによって開始する。
しかし、この操作は煩雑であるとともに、操作方法の習得が必要となる。特に、血液検査センターなど多量の検体を扱う施設では、血液分析装置が数台から数十台接続された血液分析システムが使用されている。これらの血液分析装置すべてに上記の操作をすることは、オペレータにとって非常に煩雑な作業となる。
この発明はこのような事情を考慮してなされたもので、オペレータが試料分析装置に対して特別な操作をすることなく装置のシャットダウン処理が可能な試料分析装置を提供するものである。
【０００６】
シャットダウン動作は、検出器などに洗浄液を滞留させる動作を含む場合があり、シャットダウン動作終了までに長時間（数分から数十分程度）必要である。従来の試料分析装置においては、オペレータは、シャットダウン動作終了まで待ってから、装置の電源オフの指示または次の試料の測定指示をしなければならなかった。
【０００７】
この発明は、このような事情をも考慮してなされたもので、シャットダウン動作から電源オフまたは次の試料の測定までの動作を自動化することによって、オペレータの操作の簡略化を図ることができる試料分析装置を提供するものである。
【０００８】
【課題を解決するための手段】
この発明は、液体を吸引する吸引部と、試料を測定する測定機構部と、吸引する液体の種類の情報を読み取る液体情報読取部と、液体情報読取部で読み取った液体の種類の情報が試料の場合、試料を測定するよう測定機構部を動作させ、液体の種類が洗浄液の場合、洗浄液を用いてシャットダウン動作を行うように測定機構部を動作させる制御部とを備える試料分析装置を提供するものである。
【０００９】
【発明の実施の形態】
この発明における吸引部には、例えばピペットが用いられ、これには試料分析装置用の一般的なものを利用できる。ここで用いるピペットとしては、キャップ付きの液体容器に備えて一般にピアサまたはニードルとも呼ばれる先端の尖ったものを好適に用いることができる。
【００１０】
測定機構部とは、試料を定量するサンプリングバルブ、試薬を加温する液体加温器、液体を内部に滞留させるチャンバ、液体を一定量だけ移送させるシリンジポンプやダイアフラムポンプ、それらを動作させるモータや空圧源、フローサイトメータなどの検出器、各部を接続するチューブ、流路の開閉を行うバルブなどから構成されるものであり、これにも試料分析装置用の一般的なものを利用できる。
【００１１】
液体情報読取部には、バーコードリーダやＩＣチップリーダなどが使用できる。この場合、バーコードやＩＣチップに格納する情報として、例えば、あらかじめ洗浄液を示す番号等を決めておく。バーコードやＩＣチップに格納する情報は吸引される液体が試料の場合には、検体番号であることが好ましい。バーコードやＩＣチップは液体容器に貼付してもよいし、液体容器を搭載するラックに貼付してもよい。
液体情報読取部には、吸引する液体を収容した液体容器やラックの形状を検知するセンサ（例えばマイクロスイッチや光センサ）も使用できる。この場合、例えば収容する液体が試料であるか洗浄液であるかによって液体容器やラックの形状を決めておく。
また、液体情報読取部には、液体容器に光を照射してその光が透過するか否かを検知する光センサを使用してもよい。液体が試料（例えば血液）であれば光は透過せず、洗浄液であれば光は透過する。これによって、液体容器内の液体が試料であるか、洗浄液であるかを判別することができる。
【００１２】
液体情報読取部が読み取る液体の情報としては、例えば、液体が試料であるか洗浄液であるかの情報、液体が全血であるか血漿であるかの情報が挙げられる。情報の種類はこれらに限られず、また、２種類に限られることもない。
【００１３】
制御部は、液体情報読取部が読み取った液体の情報によって測定機構部の動作を制御する。例えば、液体が試料であれば測定動作を、液体が洗浄液であればシャットダウン動作を測定機構部にさせる。液体が全血であれば全血用の測定動作を、液体が血漿であれば血漿用の測定動作を測定機構部にさせる。これによってオペレータは、液体の種類によって試料分析装置の操作を変更する必要がなくなり、操作の簡略化を図ることができる。
【００１４】
制御部には、ＣＰＵ，ＲＯＭ，ＲＡＭからなるマイクロコンピュータやパーソナルコンピュータを用いることができる。
【００１５】
測定機構部の動作は、試料を測定する測定動作と、洗浄液を測定機構部に所定時間滞留させるシャットダウン動作を含んでもよい。
洗浄液は、汚れの付着の可能性の高い部分、例えば、検出器や試料と試薬を反応させる反応チャンバ、排液（廃液）を収容する排液チャンバなどに滞留させるとよい。
検出器には、例えばフローサイトメータ、電気抵抗法で赤血球数や血小板数を検出する血球検出器、比色法でヘモグロビン量を検出するヘモグロビン検出器などが挙げられる。
また、測定機構部の動作は、試料を測定する測定動作と、洗浄液を測定機構部の検出器に流入させるシャットダウン動作を含んでもよい。
シャットダウン動作とは、試料分析装置内部の洗浄を行う動作であり、試料の測定動作ごとに行われる洗浄動作よりも洗浄効果の高いものをいう。
洗浄液としては、次亜塩素酸ナトリウム溶液が洗浄効果が高いため好ましいが、希釈液や水なども使用できる。
【００１６】
制御部は、測定機構部がシャットダウン動作を実行したのちに試料分析装置の電源をオフにしてもよい。
また、制御部は、測定機構部がシャットダウン動作を実行したのちに試料分析装置を液体吸引待受状態にしてもよい。
液体吸引待受状態とは、いわゆるスタンバイの状態であり、そのままの状態で次の液体の吸引が可能な状態をいう。
【００１７】
この発明の試料分析装置は、シャットダウン動作の実行後に試料分析装置の電源をオフにするかシャットダウン動作の実行後に試料分析装置を液体吸引待受け状態にするかを選択するための選択部を備え、制御部は選択された情報に従って試料分析装置の動作を制御するよう構成されてもよい。
これによって、オペレータは、シャットダウン動作の実行後に試料分析装置の電源をオフにするか、そのまま次の試料の測定を開始するかを選択することが可能となる。
【００１８】
この発明の試料分析装置は複数接続されてもよい。これによって、検体の処理能力が向上された試料分析システムが提供される。なお、試料分析システムとしては、例えば、ＨＳＴシリーズ（シスメックス株式会社製）が知られている。
【００１９】
この発明は、試料分析装置に吸引される液体を収容した容器であって、液体が洗浄液であることを示す情報が付加されている容器を提供するものである。
また、この発明は、試料分析装置に吸引される液体を収容した容器を搭載するためのラックであって、液体が洗浄液であることを示す情報が付加されているラックを提供するものである。
液体が洗浄液であることを示す情報としては、バーコード、ＩＣチップ、容器やラックの形状（容器やラックの大きさや容器やラックに取り付けられた突起など）が挙げられる。
【００２０】
【実施例】
以下、図面に示す実施例に基づいてこの発明を詳述する。これによってこの発明が限定されるものではない。
図１はこの発明による一実施例の血液分析装置に液体容器を搭載するラックを移送するためのサンプラを接続した血液分析ステムの構成を示す平面図である。血液分析システム１の中央に血液分析装置２１８が設置され、右側に液体容器２００を搭載した複数台のラック２２６をストックし１台ずつ搬出するラック発送部２０８が、左側にラック２２６を回収してストックするラック回収部２１６が、それぞれ設けられている。そして、ラック発送部２０８からラック回収部２１６へラック２２６を１個ずつ移送（横送り）する移送部２１０がそれらの間に設けられている。なお、ラック発送部２０８、ラック回収部２１６、移送部２１０をあわせてサンプラ２とよぶ。
【００２１】
血液分析装置２１８は、液体容器２００のバーコードを読み取るためのバーコードリーダ２１７、液体容器２００に収容された液体を攪拌するための攪拌部２１１、攪拌された液体を液体容器２００から吸引するための吸引部２１２、吸引された液体を定量、希釈、溶血等して測定するための測定機構部２１４、制御部２０１、入力部２０２、出力部２０３、電源部２１５を備えている。詳細は後述するが、制御部２０１は、ＣＰＵ、ＲＯＭ、ＲＡＭ、ハードディスクドライブ（ＨＤＤ）から構成されている。入力部２０２および出力部２０３は、パネルキーボードＬＣＤから構成されている。電源部２１５は、各部に電力を供給する（サンプラ２にも電力を供給する）。なお、制御部２０１、入力部２０２、出力部２０３、電源部２１５をパーソナルコンピュータで構成して、測定機構部２１４とＴＣＰ／ＩＰ（Transmission control protocol//internet protocol）などのインターフェースを介して接続してもよい。
この実施例では、血液分析装置２１８は、サンプラ２に１台のみ接続されているが、複数台接続するように構成してもよい。
またこの実施例では、バーコードリーダ２１７は制御部２０１と直接接続されているが、サンプラ２の制御部（図示せず）を介して接続されていてもよい。
【００２２】
各ラック２２６は、図２に示すように、１０本の液体容器２００が搭載できるように試験管立て状の形状をしている。液体容器２００は、有底円筒形の試験管状容器で上端開口は、キャップ７で塞がれ、内部に試料として血液または、洗浄液として次亜塩素酸ナトリウム溶液（例えば、セルクリーン（シスメックス株式会社製））を収容している。
【００２３】
図示しないが、液体容器２００にはバーコードが貼付されている。バーコードは、スリット９（図２）を介してバーコードリーダ２１７によって読み取られる。バーコードには、液体容器２００に試料を収容している場合にはその試料の検体番号が、液体容器２００に洗浄液が収容されている場合には洗浄液が収容されていることを示す情報（例えば、９９−９９９９９は洗浄液を示すとあらかじめ決めておくとよい）が格納されている。
【００２４】
以下、図３を参照して、血液分析装置２１８の内部構成、特に制御部２０１について詳述する。
図３は血液分析装置２１８の内部構成を示すブロック図である。
前述したように、血液分析装置２１８は、バーコードリーダ２１７、入力部２０２および出力部２０３としてのＬＣＤパネルキーボード、測定機構部２１４、攪拌部２１１、吸引部２１２、電源部２１５、制御部２０１から構成されている。
制御部２０１は、分析部６０、液体種類判別部６１、動作制御部６２、電源オフ部６３、吸引待受部６４、電源オフ／待受選択部６５、電源オフ／待受データベース（以下データベースのことをＤＢと記す）７０、測定動作ＤＢ７１、シャットダウン動作ＤＢ７２、分析結果ＤＢ７３を備えている。これらは、ＣＰＵ、ＲＯＭ、ＲＡＭ、ハードディスクドライブ（ＨＤＤ）から構成され、各部はＢＵＳで接続されている。
測定機構部２１４、攪拌部２１１、吸引部２１２としては公知のものが使用でき、例えばＸＥ−２１００（シスメックス株式会社製）に使用されているものを使用することができる。
【００２５】
図４は、吸引部２１２および測定機構部２１４の一部および制御部２０１を示す流体回路図である。同図に示すように、測定機構部２１４は、試料を定量するサンプリングバルブ２９、試薬を加温する液体加温器１００ａ、１００ｂ、液体を内部に滞留させるチャンバ２２、３０、４１、４６、４９、５４、液体を一定量だけ移送させるシリンジ３１、３８、ダイアフラムポンプ２３、３６、それらを動作させるモータや陰圧２５，３７、陽圧２８、５３、試料の測定を行うフローセル３９、各部を接続するチューブ、流路の開閉を行うバルブなどから構成されている。
以下、図１〜図４および図５に示すフローチャートを参照して、血液分析システム１の動作について説明する。
【００２６】
血液分析システム１のオペレータは、シャットダウン動作（シャットダウン動作については後述する）を実行したのちに、そのまま自動的に血液分析システム１の電源をオフにするか、電源をオフにせず、次の試料の測定が可能となるよう液体吸引待受状態にするかの選択を行う。具体的には、電源オフ／待受選択部６５は、ＬＣＤパネルキーボード２０２，２０３に「電源オフ」または「液体吸引待受」の選択を促す画面を表示させる。オペレータが選択した情報は、電源オフ／待受ＤＢ７０に格納される（Ｓ０）。なお、この操作は試料の測定毎に行う必要はなく、例えばシステム導入時にのみ行えばよい。
【００２７】
液体容器２００を搭載した複数のラック２２６がラック発送部２０８に縦一列に並べられると（Ｓ１）、全ラック２２６が矢印Ｃで示す方向に整列しながら前進し（Ｓ２）、その後、先頭のラック２２６が左方の移送部２１０に送出され矢印Ｄで示す方向に横送りされる（Ｓ３）。
【００２８】
移送部２１０により移送されるラック２２６は、先頭の液体容器２００がバーコードリーダ２１７に対向する位置で停止する。バーコードリーダ２１７が先頭の液体容器２００のバーコードを読み込むと（Ｓ４）、その情報が制御部２０１の液体種類判別部６１に送られるとともに、その液体容器２００は再び横送りされ、攪拌部２１１に対向する位置で停止する。
【００２９】
先頭の液体容器２００が攪拌部２１１で攪拌されると（Ｓ５）、ラック２２６が所定距離（液体容器２００の配列ピッチ）だけ移動して、攪拌の終了した液体容器２００から液体が吸引部２１２により吸引される（Ｓ６）。搭載している液体容器２００中の液体の吸引をすべて終了したラック２２６は、ラック回収部２１６へ移送され、矢印Ｅに示す方向に送出される。
【００３０】
液体種類判別部６１は、バーコードリーダ２１７から送られた情報をもとに、液体容器２００内の液体が試料（血液）であるか、洗浄液であるかを判断する（Ｓ７）。
液体容器２００内の液体が血液である場合には、動作制御部６２は、測定動作ＤＢ７１から測定動作プログラムを読み込み、測定機構部２１４に測定動作をさせる（Ｓ８）。測定動作については、図４を参照して後述する。
【００３１】
測定機構部２１４で得られた測定結果は、分析部６０で分析され、ＬＣＤパネルキーボード２０２，２０３に表示される。分析結果は、分析結果ＤＢ７３に格納される（Ｓ９）。そして、血液分析システム１は、次の液体の吸引を待ち受ける液体吸引待受状態にもどる（Ｓ１０）。
ラック発送部２０８または移送部２１０にラック２２６が載置してある場合（Ｓ１０−１）、ラック発送部２０８または移送部２１０は自動的にラックの前進または横送りを続行させ（Ｓ２またはＳ３）、前述した血液分析システム１の動作を続行させる（Ｓ２〜Ｓ１０またはＳ１３またはＳ１４）。
【００３２】
ステップＳ７での判断の結果、液体容器２００内の液体が洗浄液である場合には、動作制御部６２は、シャットダウン動作ＤＢ７２からシャットダウン動作プログラムを読み込み、測定機構部２１４にシャットダウン動作をさせる（Ｓ１１）。シャットダウン動作については、図４を参照して後述する。なお、シャットダウン動作中は、サンプラ２の動作を停止させる。
【００３３】
オペレータがシャットダウン動作実行後に自動的に血液分析システム１の電源をオフにすることを選択している場合、すなわち、電源オフ／待受ＤＢ７０に「電源オフ」が格納されている場合（Ｓ１２）、シャットダウン動作終了後に、電源オフ部６３が、電源部２１５に対し、電力の供給の停止を命令する。これによって、血液分析システム１の電源がオフとなる（Ｓ１３）。
【００３４】
オペレータがシャットダウン動作実行後に自動的に血液分析システム１を液体吸引待受状態にすることを選択している場合、すなわち、電源オフ／待受ＤＢ７０に「液体吸引待受」が格納されている場合（Ｓ１２）、シャットダウン動作終了後に、血液分析システム１は、吸引待受部６４の指示により、液体吸引待受状態にもどる（Ｓ１４）。
ラック発送部２０８または移送部２１０にラック２２６が載置してある場合（Ｓ１４−１）、ラック発送部２０８または移送部２１０は自動的にラックの前進または横送りを再開させ（Ｓ２またはＳ３）、前述した血液分析システム１の動作を再開させる（Ｓ２〜Ｓ１０またはＳ１４）。
これによって、オペレータが特別な操作をすることなく、試料の測定を再開することができる。
【００３５】
以下、図４を参照して、測定動作について説明する。なお、特に言及しなければ、バルブは閉の状態である。
同図において、先ず、バルブ２１を開き、試薬チャンバ２２とダイアフラムポンプ２３とを連通させる。次にバルブ２４を開くと、陰圧２５により試薬（希釈液）がダイアフラムポンプ２３に１ｍＬだけ吸引される。バルブ２１，２４を閉、バルブ２６，２７を開にすると、陽圧２８により１ｍＬの試薬がダイアフラムポンプ２３から液体加温器１００ａへニップル１５ａを介して供給され加温される。
以上の動作を複数回繰り返すことにより、所定温度まで上昇した試薬がニップル１７ａから送出され、サンプリングバルブ２９の試薬流路２９ａを介して反応チャンバ３０の手前までの流路を満たす。
【００３６】
次に、シリンジ３１を作動させ液体容器２００から試料（血液）をサンプリングバルブ２９の定量流路２９ｂへ吸引する。サンプリングバルブ２９を回転させ４μＬの試料を定量し、定量流路２９ｂを試薬流路２９ａと切換える。これによって、試料は試薬によって前後がはさまれる。そこで、上述のようにダイアフラムポンプ２３を作動させて液体加温器１００ａから１ｍＬ試薬を送出すると、４μＬの試料が１ｍＬの試薬と共に反応チャンバ３０に流入し、反応チャンバ３０で攪拌されて希釈試料が作成される。
【００３７】
次に、バルブ３３，３４，３５を開にし、ダイアフラムポンプ３６に陰圧３７を印加すると、反応チャンバ３０とバルブ３４との間の流路が希釈試料で満たされる。バルブ３３，３４を閉にし、シリンジ３８を作動させると、希釈試料はフローセル３９内のノズル４０から吐出される。
【００３８】
一方、バルブ５７を開にすると、シース液がチャンバ４１から陽圧４２によりフローセル３９に供給され、ノズル４０から吐出される希釈試料を包み込んで、いわゆる、シースフローを形成する。そのシースフローに発光素子４３から光が照射され、希釈試料に含有される粒子からの散乱光や蛍光などの光が受光素子４４によって検出される。
【００３９】
制御部２０１の分析部６０は検出された光強度に基づいて希釈試料中の粒子の特徴を分析する。そして、シースフローを形成した希釈試料とシース液は排液チャンバ４６へ排出される。
【００４０】
続いて、洗浄動作が行われる。なお、この洗浄動作は測定動作ごとに行われるものであり、シャットダウン動作ではない。
まず、バルブ４７，４８を開にする。希釈液チャンバ４９に陽圧５０を印加して希釈液を、バルブ４７、ニップル１６ａ、液体加温器１００ａ、ニップル１８ａ、サンプリングバルブ２９、および反応チャンバ３０へと流し、反応チャンバ３０があふれる前にバルブ４７，４８を閉にする。
【００４１】
バルブ３３，３４，３５を開き、陰圧３７をダイアフラムポンプ３６に印加して、希釈液を反応チャンバ３０からバルブ３３，３４を介してダイアフラムポンプ３６まで吸引する。バルブ３４，３５を閉、バルブ５１，５２を開にして陽圧５３をダイアフラムポンプ３６に印加すると、ダイアフラムポンプ３６の希釈液はバルブ５１を介して排液チャンバ５４へ排出される。次にバルブ５５を開くと、反応チャンバ３０の残りの希釈液も排液チャンバ５４へ排出される。
【００４２】
次に、バルブ４８，５６を開にし、希釈液チャンバ４９に陽圧５０を印加すると、希釈液は希釈液チャンバ４９からバルブ５６、液体加温器１００ｂ、シリンジ３８、ノズル４０およびフローセル３９を経て排液チャンバ４６へ排出される。これによって、流路に残留していた血液が排出され、次の液体容器２００から液体を吸引することが可能となる。
【００４３】
以下、図４を参照して、シャットダウン動作について説明する。この実施例におけるシャットダウン動作とは、フローセル３９内に洗浄液を流入させて滞留させる動作をいうが、これには限られず、必要に応じて各チャンバへ洗浄液を滞留させたりしてもよい。なお、特に言及しなければ、バルブは閉の状態である。
サンプリングバルブ２９を切り替え、液体容器２００（液体容器２００には洗浄液が収容されている）とバルブ５９をサンプリングバルブ２９の洗浄液流路２９ｃを介して連通させる。
【００４４】
バルブ３４，３５，５９を開にし、ダイアフラムポンプ３６に陰圧３７を印加すると、バルブ３４とバルブ５９との間の流路が洗浄液で満たされる。
バルブ３４，３５，５９を閉にし、シリンジ３８を作動させると、バルブ３４とバルブ５９との間の流路に満たされていた洗浄液はフローセル３９内のノズル４０から吐出される。ノズル４０から吐出された洗浄液は、ノズル４０およびフローセル３９内に滞留する。
この状態で所定時間（５分〜１０分程度）放置する。なお、この所定時間は固定の時間としてもよいし、オペレータが設定可能としてもよい。
【００４５】
バルブ４８，５６を開にし、希釈液チャンバ４９に陽圧５０を印加すると、希釈液は希釈液チャンバ４９からバルブ５６、液体加温器１００ｂ、シリンジ３８、ノズル４０およびフローセル３９を経てノズル４０およびフローセル３９内に滞留していた洗浄液とともに排液チャンバ４６へ排出される。
同時に、バルブ５７を開にすると、シース液がチャンバ４１から陽圧４２によりフローセル３９に供給され、フローセル３９内に滞留していた洗浄液とともに排液チャンバ４６へ排出される。
次に、排液チャンバ４６、５４に滞留している排液を装置外部に排出する。
以上でシャットダウン動作を終了する。
【００４６】
オペレータによって、シャットダウン動作後の動作として、「電源オフ」が選択されている場合、電源オフ部６３は、電源部２１５に電力供給の停止を指示する。
オペレータによって、シャットダウン動作後の動作として、「液体吸引待受」が選択されている場合、吸引待受部６４が、攪拌部２１１、吸引部２１２、測定機構部２１４等に次の液体の吸引待受を指示する。
【００４７】
なお、この発明の試料分析装置は、オペレータがあらかじめ設定した時間に自動的に試料分析装置の電源をオンにする電源オン部を制御部２０１に設けてもよい。これによって、オペレータの出勤時に試料分析装置を液体吸引待受状態としておくことができ、オペレータは出勤後すぐに試料の測定を始めることができる。
【００４８】
試料を測定すべき時間帯にオペレータが誤って洗浄液をサンプラ２に投入してしまいシャットダウン動作が開始してしまうと、試料測定が中断されてしまう。
そこで、この発明の試料分析装置を、シャットダウン動作が開始可能な時間帯をオペレータがあらかじめ設定可能となるよう構成してもよい。具体的には、シャットダウン動作の開始可能時間帯を設定するためのシャットダウン開始可能時間設定部および開始可能時間帯を記憶するシャットダウン開始可能時間ＤＢを制御部２０１に設けてもよい。
【００４９】
シャットダウン動作中に試料分析装置に動作エラーが発生した場合には、試料分析装置の製造販売元やオペレータの携帯電話などにエラー発生を連絡するように、この発明の試料分析装置を構成してもよい。これによって、試料分析装置の迅速な復旧処理が可能となる。
【００５０】
【発明の効果】
この発明の試料分析装置によれば、オペレータは試料分析装置に対して特別な操作をすることなく装置のシャットダウン処理が可能である。
また、この発明の試料分析装置によれば、シャットダウン動作から電源オフまたは次の試料の測定までの動作を自動化することによって、オペレータの操作の簡略化を図ることができる。
【図面の簡単な説明】
【図１】この発明による一実施例の血液分析装置にサンプラを接続した血液分析ステムの構成を示す平面図である。
【図２】液体容器２００を搭載したラック２２６の斜視図である。
【図３】血液分析装置２１８の内部構成を示すブロック図である。
【図４】吸引部２１２および測定機構部２１４の一部および制御部２０１を示す流体回路図である。
【図５】血液分析システム１の動作を説明するフローチャートである。
【符号の説明】
１  血液分析システム
２  サンプラ
２００  液体容器
２０１  制御部
２０２  入力部
２０３  出力部
２０８  ラック発送部
２１０  移送部
２１１  攪拌部
２１２  吸引部
２１４  測定機構部
２１５  電源部
２１６  ラック回収部
２１７  バーコードリーダ
２１８  血液分析装置
２２６  ラック
【図１】
0003933499.tif 000002
【図２】
0003933499.tif 000003
【図３】
0003933499.tif 000004
【図４】
0003933499.tif 000005
【図５】
0003933499.tif 000006